(57)【要約】【課題】コマンドアクセスによるデータの書込み／読出しが可能な機能を有する場合でも、データの書換えを禁止状態とすることを可能とし、書換えをしたくない重要なデータを保護することができるデータ記憶装置を提供する。【解決手段】パチンコ機の画像表示制御基板１０ａに実装されたハードディスク装置３０におけるデータの書込みを、ハードディスク装置３０の外部に配置された書込み禁止設定部３２によって強制的に禁止可能とした。【選択図】      図１
2004242891.tif 000002
【特許請求の範囲】
【請求項１】
内部に設けられた記憶媒体にデータを記憶している記憶ユニットに対して、コマンドアクセスによるデータの書込み／読出しの制御が行われるデータ記憶装置において、
前記データの書込み制御を禁止とする設定を行う設定手段を、前記記憶ユニットの外部に配置して構成した
ことを特徴とするデータ記憶装置。
【請求項２】
遊技球の入賞口への入賞を契機とする抽選結果に基づき、抽選内容を演出表示する遊技機に搭載され、前記遊技機における各種制御に用いられるデータを、内部に設けられた記憶媒体に記憶している記憶ユニットに対して、コマンドアクセスによるデータの書込み／読出しの制御が行われるデータ記憶装置において、
前記データの書込み制御を禁止とする設定を行う設定手段を、前記記憶ユニットの外部に配置して構成した
ことを特徴とするデータ記憶装置。
【発明の詳細な説明】
【０００１】
【発明の属する技術分野】
本発明は、パチンコ機やゲーム機に代表される遊技機などの電子機器に適用され、コマンドアクセスによるデータの書込み／読出しが可能なデータ記憶装置に関し、特に、書換えをしたくない重要なデータが記憶されている場合に、そのデータの書き換えを禁止することが可能なデータ記憶装置に関する。
【０００２】
【従来の技術】
データ記憶装置に重要なデータを記憶する従来例として、パチンコ機における変動パターンデータの記憶がある。この変動パターンデータは、例えば図３に示すような遊技盤１００において、遊技球を発射し、遊技盤面上の始動入賞口への入賞を基に、「７７７」などの表示による変動を開始する場合に用いられる。
【０００３】
遊技盤１００のほぼ中央部には、３つ（左、中、右）の表示エリアが設けられており、各表示エリアにおいて、独立して数字やキャラクタによる図柄で構成される識別情報を、横一列の配列パターンで変動表示可能な特別図柄表示装置１０１が配設されている。この装置１００の真下には、特別図柄始動口１０４が配設されており、この特別図柄始動口１０４の両側には、普通図柄作動ゲート１０２，１０２が配設されている。また、一対の開閉部材１２０，１２０が特別図柄始動口１０４を形成するように離間して開閉可能に設けられている。
【０００４】
さらに、特別図柄始動口１０４の下方には、大入賞口１０６と、普通図柄表示装置１０８と、アウト口１１４とがこの順で配設されており、さらに、特別図柄始動口１０４の両斜め上方には、ランプ表示装置１１０，１１０が配設されるとともに、遊技盤１０の両側端部近傍にもランプ表示装置（より具体的には、ＬＥＤ装置）１１２，１１２が配設されている。
【０００５】
そして、特別図柄始動口１０４に遊技球が入賞して乱数抽選が行われ、この抽選された乱数が大当り値であるときには、各表示エリアにおいて少なくとも１つの識別情報の変動表示が開始される。その後、所定パターン（例えば、「７７７」）の表示が特別図柄表示装置１０１によって行われ、大入賞口１０６が所定パターンで開閉制御されて遊技者にとって有利な大当り遊技状態となる。
【０００６】
また、普通図柄作動ゲート１０２が遊技球の通過を検出すると、乱数抽選が行われ、この抽選された乱数が小当り値であるときには、普通図柄表示装置１０８の表示部を所定パターン（例えば、「７」や「３」）に表示させる。その後に、開閉部材１２０が開状態となって遊技球が特別図柄始動口１０４に入賞した場合にも、同様に乱数抽選が行われ、この抽選された乱数が大当り値であるときには、各表示エリアにおける変動表示が開始され、その後、所定表示パターン（例えば、「７７７」）の表示が特別図柄表示装置１０１によって行われ、大入賞口１０６が所定パターンで開閉制御されて遊技者にとって有利な大当り状態となる。一方、いずれの入賞口にも入賞しない遊技球は、アウト口１１４を介して排出される。
【０００７】
上記のような変動表示などの画像表示制御を行うために、パチンコ機には、図４に示すような画像表示制御基板１０が設けられている。この画像表示制御基板１０は、ＣＰＵ（Ｃｅｎｔｒａｌ  Ｐｒｏｃｅｓｓｉｎｇ  Ｕｎｉｔ）１２と、ＶＤＰ（Ｖｉｄｅｏ  Ｄｉｓｐｌａｙ  Ｐｒｏｃｅｓｓｏｒ）１４と、制御ＲＯＭ（Ｒｅａｄ  Ｏｎｌｙ  Ｍｅｍｏｒｙ）１６と、ＲＡＭ（Ｒａｎｄｏｍ  Ａｃｃｅｓｓ  Ｍｅｍｏｒｙ）１８と、ワークＲＡＭ２０と、データメモリ（データ記憶装置）２２とを備えて構成されている。
【０００８】
このような構成において、パチンコ機の遊技制御を行う主制御基板（図示せず）からＣＰＵ１２には、種々の画像表示制御を行うための各種のコマンドが入力されるようになっている。ここで、主制御基板から変動表示制御を行うためのコマンドがＣＰＵ１２に入力されると、ＣＰＵ１２は、そのコマンドに応じたプログラムデータを制御ＲＯＭ１６から読み出してＲＡＭ１８に記憶した後、この記憶プログラムに応じてＶＤＰ１４への制御指示を行う。ＶＤＰ１４は、その制御指示に応じたコマンドアクセスによってデータメモリ２２から変動パターンデータを読出し、このデータに応じて特別図柄表示装置１０１の変動表示を制御することが可能となっている。
【０００９】
このようにデータ記憶装置に画像表示用のデータを記憶して表示制御を行う他の従来例として、特許文献１に記載のゲーム機がある。このゲーム機は、ゲーム表示情報を表示するモニタと、このモニタに表示するゲーム表示情報を生成するためのゲーム回路基板と、そのゲーム表示情報を生成するための基礎データとしてのゲーム情報をハードディスク装置（データ記憶装置）に記憶し、このハードディスクを密閉したハードディスクモジュールを備えており、そのハードディスクモジュールをゲーム基板回路に対して容易に着脱可能に構成したものである。
【００１０】
【特許文献１】
特開２０００−７０５４７号公報（要約）
【００１１】
【発明が解決しようとする課題】
しかし、上述した特許文献１に記載のゲーム機には、データ記憶装置としてハードディスク装置を用いているが、ハードディスク装置は、ＲＯＭやフラッシュメモリなどにおける制御側からアドレスを直接指定し、データバスからデータを読み出すアクセス方法と異なり、コマンドによってデータの書込み／読出しを行うので、制御側からハードディスク装置に記憶されたデータを自由に書換えすることができる。この場合、ハードディスク装置の記憶データが書換えをしたくない重要なものである場合、その記憶データを書換え禁止状態に保護することができないという問題がある。
【００１２】
特に、上述したパチンコ機のデータメモリ２２に、ハードディスク装置が用いられている場合、パチンコ機では変動パターンデータなどのセキュリティの重要なデータが存在するが、このようなデータを書換え禁止状態に保護することができなくなるという問題がある。
本発明は、このような課題に鑑みてなされたものであり、コマンドアクセスによるデータの書込み／読出しが可能な機能を有する場合でも、データの書換えを禁止状態とすることを可能とし、書換えをしたくない重要なデータを保護することができるデータ記憶装置を提供することを目的としている。
【００１３】
【課題を解決するための手段】
上記目的を達成するために、本発明の請求項１によるデータ記憶装置は、内部に設けられた記憶媒体にデータを記憶している記憶ユニットに対して、コマンドアクセスによるデータの書込み／読出しの制御が行われるデータ記憶装置において、
前記データの書込み制御を禁止とする設定を行う設定手段を、前記記憶ユニットの外部に配置して構成したことを特徴としている。
【００１４】
この構成によれば、ハードディスク装置等の記憶ユニットの内部に設けられた記憶媒体へのデータの書込みを、その記憶ユニットの外部に配置された設定手段によって強制的に禁止することができるので、コマンドアクセスによるデータの書込み／読出しが可能な機能を有する場合でも、書換えをしたくない重要なデータを保護することができる。
【００１５】
また、本発明の請求項２によるデータ記憶装置は、遊技球の入賞口への入賞を契機とする抽選結果に基づき、抽選内容を演出表示する遊技機に搭載され、前記遊技機における各種制御に用いられるデータを、内部に設けられた記憶媒体に記憶している記憶ユニットに対して、コマンドアクセスによるデータの書込み／読出しの制御が行われるデータ記憶装置において、前記データの書込み制御を禁止とする設定を行う設定手段を、前記記憶ユニットの外部に配置して構成したことを特徴としている。
この構成によれば、遊技機における変動パターンデータなどのセキュリティが重要なデータや、音声制御などの制御を行う重要なデータを書換え禁止として保護することができる。
【００１６】
【発明の実施の形態】
以下、本発明の実施の形態を、図面を参照して説明する。
（実施の形態）
図１は、本発明の実施の形態に係るデータメモリが実装されたパチンコ機の画像表示制御基板の構成を示す図である。但し、図１に示す本実施の形態において、図４に示した従来例の各部に対応する部分には同一符号を付し、その説明を省略する。
【００１７】
この図１に示す画像表示制御基板１０ａは、ＣＰＵ１２と、ＶＤＰ１４と、制御ＲＯＭ１６と、ＲＡＭ１８と、ワークＲＡＭ２０と、データメモリ（記憶ユニット）３０と、書込み禁止設定部（設定手段）３２とを備えて構成されている。
データメモリ３０は、コマンドアクセスによるデータの書込み／読出しが可能な記憶ユニットであり、本実施の形態では、図２に示すハードディスク装置３０であるとする。このハードディスク装置３０は、互いに内蔵されたＩ／Ｆ（インタフェース）部３４，３５を介してＶＤＰ１４と接続されているものとする。
【００１８】
Ｉ／Ｆ部３４，３５は、上記のコマンドアクセスによるデータの書込み／読出しを可能とするための回路であり、ＡＴＡ（ＡＴ  Ａｔｔａｃｈｍｅｎｔ）［ＩＤＥ（Ｉｎｔｅｇｒａｔｅｄ  Ｄｒｉｖｅ  Ｅｌｅｃｔｒｏｎｉｃｓ）、ＥＩＤＥ（Ｅｎｈａｎｃｅｄ  Ｉｎｔｅｇｒａｔｅｄ  Ｄｒｉｖｅ  Ｅｌｅｃｔｒｏｎｉｃｓ）］、ＡＴＡＰＩ（ＡＴ  Ａｔｔａｃｈｍｅｎｔ  Ｐａｃｋｅｔ  Ｉｎｔｅｒｆａｃｅ）、ＳＣＳＩ（Ｓｍａｌｌ  Ｃｏｍｐｕｔｅｒ  Ｓｙｓｔｅｍ  Ｉｎｔｅｒｆａｃｅ）、ＵＳＢ（Ｕｎｉｖｅｒｓａｌ  Ｓｅｒｉａｌ  Ｂｕｓ）などが用いられる。従って、データメモリ３０は、ハードディスク装置の他に、ＣＤ−ＲＷ（Ｃｏｍｐａｃｔ  Ｄｉｓｋ  Ｒｅ−Ｗｒｉｔａｂｌｅ）、ＤＶＤ（Ｄｉｇｉｔａｌ  Ｖｅｒｓａｔｉｌｅ  Ｄｉｓｋ）、コンパクトフラッシュ（登録商標）などの記憶ユニットであってもよい。
【００１９】
また、ハードディスク装置３０は、図２に示すように、Ｉ／Ｆ部３５に接続されたＲ／Ｗ（Ｒｅａｄ／Ｗｒｉｔｅ）制御部３７と、複数の磁気ディスクを有するディスク部（記憶媒体）３９とを備え、さらに、Ｒ／Ｗ制御部３７にリードライン４１によって書込み禁止設定部３２が接続されて構成されている。
書込み禁止設定部３２は、ハードディスク装置３０の外側に、人為的に操作できる位置に配置されていることを前提とする。ここでは、画像表示制御基板１０ａの上に実装されているものとする。また、図２に破線枠で囲んで示すように、ハードディスク装置３０と書込み禁止設定部３２とで、データ記憶装置５０を構成している。
【００２０】
Ｒ／Ｗ制御部３７は、ディスク部３９における磁気ディスクへのデータの書込み／読出しを制御するものである。書込み禁止設定部３２は、そのＲ／Ｗ制御部３７による書込み（消去を含む）の制御を禁止するための設定を行う設定手段であり、ディップスイッチなどのオン／オフスイッチが適用されている。例えば、書込み禁止設定部３２にオフが設定されている場合は、Ｒ／Ｗ制御部３７は書込み／読出しの双方の制御を行うことができ、オンが設定されている場合は、書込みのみができない状態（書込み禁止状態）となる。
【００２１】
このような構成において、パチンコ機の遊技制御を行う主制御基板（図示せず）から変動表示制御を行うためのコマンドが図１に示すＣＰＵ１２に入力されると、ＣＰＵ１２は、そのコマンドに応じたプログラムデータを制御ＲＯＭ１６から読み出してＲＡＭ１８に記憶した後、この記憶プログラムに応じてＶＤＰ１４への制御指示を行う。
【００２２】
ここで、書込み禁止設定部３２にオン／オフの何れが設定されていても、ＶＤＰ１４は、その制御指示に応じたコマンドアクセスによってハードディスク装置３０から変動パターンデータを読出し、このデータに応じて、従来例で説明済みの図３に示した特別図柄表示装置１０１の変動表示を制御する。また、この場合は、ハードディスク装置３０に記憶された変動パターンデータをコマンドアクセスによって書き換えることもできる。
【００２３】
一方、書込み禁止設定部３２に書込を禁止とするオンが設定されている場合は、Ｒ／Ｗ制御部３７の書込み制御は強制的に禁止状態となるので、コマンドアクセスによって変動パターンデータを書き換えることはできない。
このような本実施の形態によれば、画像表示制御基板１０ａに実装されたハードディスク装置３０におけるデータの書込みを、ハードディスク装置３０の外部に配置された書込み禁止設定部３２によって強制的に禁止可能とした。従って、コマンドアクセスによるデータの書込み／読出しが可能な機能を有する場合でも、書換えをしたくない重要なデータ、すなわち、変動パターンデータなどのセキュリティが重要なデータを書換え禁止として保護することができる。
【００２４】
また、上記実施の形態においては、画像表示制御の場合に用いられるデータを対象としたが、音声制御など他の制御を行うデータで、且つ書換えをしたくない重要なデータであれば、何れのデータでも書込み禁止状態として保護することができる。
【００２５】
【発明の効果】
以上説明したように本発明は、ハードディスク装置等の記憶ユニットの内部に設けられた記憶媒体へのデータの書込みを、その記憶ユニットの外部に配置された設定手段によって強制的に禁止することができるようにした。従って、データ記憶装置が、コマンドアクセスによるデータの書込み／読出しが可能な機能を有する場合でも、データの書換えを禁止状態とすることを可能とし、書換えをしたくない重要なデータを保護することができるという効果がある。
【図面の簡単な説明】
【図１】本発明の実施の形態に係るデータメモリが実装されたパチンコ機の画像表示制御基板の構成を示す図である。
【図２】上記実施の形態に係るデータメモリであるハードディスク装置の構成を示すブロック図である。
【図３】パチンコ機における遊技盤面の正面部分の特徴箇所を模式的に示した図である。
【図４】従来のデータメモリであるハードディスク装置が実装されたパチンコ機の画像表示制御基板の構成を示すブロック図である。
【符号の説明】
１０，１０ａ  画像表示制御基板
１２  ＣＰＵ
１４  ＶＤＰ（Ｖｉｄｅｏ  Ｄｉｓｐｌａｙ  Ｐｒｏｃｅｓｓｏｒ）
１６  制御ＲＯＭ
１８  ＲＡＭ
２０  ワークＲＡＭ
３０  データメモリ
３２  書込み禁止設定部
３４，３５  Ｉ／Ｆ（インタフェース）部
３７  Ｒ／Ｗ（Ｒｅａｄ／Ｗｒｉｔｅ）制御部
３９  ディスク部
４１  リードライン
【図１】
2004242891.tif 000003
【図２】
2004242891.tif 000004
【図３】
2004242891.tif 000005
【図４】
2004242891.tif 000006